【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】 
【請求項１】  主情報と固定情報が畳み込み符号化された伝送データを復号する復号装置において、
前記畳み込み符号化された伝送データの符号の遷移状態に対応するブランチメトリックを生成する生成手段と、
前記ブランチメトリックに基づいてステートメトリックを算出するとともに、前記符号のパスを選択する選択手段と、
前記伝送データにおける前記固定情報の位置を検出する検出手段と、
前記検出手段による検出結果に対応して、前記固定情報の前記ステートメトリックの値を変更する制御を行う制御手段と、
前記パスの選択に基づき前記符号の前記パスの選択状態を記憶する記憶手段と
を備えることを特徴とする復号装置。
【請求項２】  前記制御手段は、前記固定情報の前記符号の遷移状態が終結した後のすべての前記固定情報の前記ステートメトリックの値を変更する
ことを特徴とする請求項１に記載の復号装置。
【請求項３】  前記制御手段は、前記固定情報の前記符号の遷移状態が終結した後の任意の１箇所の前記固定情報の前記ステートメトリックの値を変更する
ことを特徴とする請求項１に記載の復号装置。
【請求項４】  前記制御手段は、前記固定情報の前記符号の遷移状態が終結した後の任意の複数箇所の前記固定情報の前記ステートメトリックの値を変更する
ことを特徴とする請求項１に記載の復号装置。
【請求項５】  前記制御手段は、複数の前記固定情報の前記符号の遷移状態が終結した後の前記複数の前記固定情報の前記符号の状態が同一となるとき、前記複数の前記固定情報のそれぞれの対応する１箇所の前記ステートメトリックの値を変更する
ことを特徴とする請求項１に記載の復号装置。
【請求項６】  主情報と固定情報が畳み込み符号化された伝送データを復号する復号装置の復号方法において、
前記畳み込み符号化された伝送データの符号の遷移状態に対応するブランチメトリックを生成する生成ステップと、
前記ブランチメトリックに基づいてステートメトリックを算出するとともに、前記符号のパスを選択する選択ステップと、
前記伝送データにおける前記固定情報の位置を検出する検出ステップと、
前記検出ステップでの検出結果に対応して、前記固定情報の前記ステートメトリックの値を変更する制御を行う制御ステップと、
前記パスの選択に基づき前記符号の前記パスの選択状態を記憶する記憶ステップと
を含むことを特徴とする復号装置。
【請求項７】  主情報と固定情報が畳み込み符号化された伝送データを復号する復号装置に、
前記畳み込み符号化された伝送データの符号の遷移状態に対応するブランチメトリックを生成する生成ステップと、
前記ブランチメトリックに基づいてステートメトリックを算出するとともに、前記符号のパスを選択する選択ステップと、
前記伝送データにおける前記固定情報の位置を検出する検出ステップと、
前記検出ステップでの検出結果に対応して、前記固定情報の前記ステートメトリックの値を変更する制御を行う制御ステップと、
前記パスの選択に基づき前記符号の前記パスの選択状態を記憶する記憶ステップと
含む処理を実行させるコンピュータが読みとり可能なプログラムを提供することを特徴とする提供媒体。
【手続補正２】
【補正対象書類名】明細書
【補正対象項目名】００３０
【補正方法】変更
【補正の内容】
【００３０】
【課題を解決するための手段】
請求項１に記載の復号装置は、主情報と固定情報が畳み込み符号化された伝送データを復号する復号装置において、畳み込み符号化された伝送データの符号の遷移状態に対応するブランチメトリックを生成する生成手段と、ブランチメトリックに基づいてステートメトリックを算出するとともに、符号のパスを選択する選択手段と、伝送データにおける固定情報の位置を検出する検出手段と、検出手段による検出結果に対応して、固定情報のステートメトリックの値を変更する制御を行う制御手段と、パスの選択に基づき符号のパスの選択状態を記憶する記憶手段とを備えることを特徴とする。
【手続補正３】
【補正対象書類名】明細書
【補正対象項目名】００３１
【補正方法】変更
【補正の内容】
【００３１】
請求項６に記載の復号方法は、主情報と固定情報が畳み込み符号化された伝送データを復号する復号装置の復号方法において、畳み込み符号化された伝送データの符号の遷移状態に対応するブランチメトリックを生成する生成ステップと、ブランチメトリックに基づいてステートメトリックを算出するとともに、符号のパスを選択する選択ステップと、伝送データにおける固定情報の位置を検出する検出ステップと、検出ステップでの検出結果に対応して、固定情報のステートメトリックの値を変更する制御を行う制御ステップと、パスの選択に基づき符号のパスの選択状態を記憶する記憶ステップとを含むことを特徴とする。
【手続補正４】
【補正対象書類名】明細書
【補正対象項目名】００３２
【補正方法】変更
【補正の内容】
【００３２】
請求項７に記載の提供媒体は、主情報と固定情報が畳み込み符号化された伝送データを復号する復号装置に、畳み込み符号化された伝送データの符号の遷移状態に対応するブランチメトリックを生成する生成ステップと、ブランチメトリックに基づいてステートメトリックを算出するとともに、符号のパスを選択する選択ステップと、伝送データにおける固定情報の位置を検出する検出ステップと、検出ステップでの検出結果に対応して、固定情報のステートメトリックの値を変更する制御を行う制御ステップと、パスの選択に基づき符号のパスの選択状態を記憶する記憶ステップと含む処理を実行させるコンピュータが読みとり可能なプログラムを提供することを特徴とする。
【手続補正５】
【補正対象書類名】明細書
【補正対象項目名】００３３
【補正方法】変更
【補正の内容】
【００３３】
請求項１に記載の復号装置、請求項６に記載の復号方法、および請求項７に記載の提供媒体においては、畳み込み符号化された伝送データの符号の遷移状態に対応するブランチメトリックが生成され、ブランチメトリックに基づいてステートメトリックが算出されるとともに、符号のパスが選択され、伝送データにおける固定情報の位置が検出され、検出結果に対応して、固定情報のステートメトリックの値を変更する制御が行われ、パスの選択に基づき符号のパスの選択状態が記憶される。
【手続補正６】
【補正対象書類名】明細書
【補正対象項目名】００３５
【補正方法】変更
【補正の内容】
【００３５】
すなわち、請求項１に記載の復号装置は、主情報と固定情報が畳み込み符号化された伝送データを復号する復号装置において、畳み込み符号化された伝送データの符号の遷移状態に対応するブランチメトリックを生成する生成手段（例えば、図２のＢＭ生成器４１）と、ブランチメトリックに基づいてステートメトリックを算出するとともに、符号のパスを選択する選択手段（例えば、図２の比較器８３Ａ）と、伝送データにおける固定情報の位置を検出する検出手段（例えば、図２のACS制御器８５）と、検出手段による検出結果に対応して、固定情報のステートメトリックの値を変更する制御を行う制御手段（例えば、図２のACS制御器８５）と、パスの選択に基づき符号のパスの選択状態を記憶する記憶手段（例えば、図２のパスメモリ４３）とを備えることを特徴とする。
【手続補正７】
【補正対象書類名】明細書
【補正対象項目名】００６６
【補正方法】変更
【補正の内容】
【００６６】
【発明の効果】
以上のように、請求項１に記載の復号装置、請求項６に記載の復号方法、および請求項７に記載の提供媒体によれば、畳み込み符号化された伝送データにおける固定情報の位置を検出し、固定情報の符号の遷移状態が終結したとき、固定情報のステートメトリックの値を変更する制御を行うようにしたので、非常に簡易な回路構成で、伝送データの変調方式の変化点における復号の誤り特性の劣化を抑制することができ、かつ、回路の小規模化、少電力化を実現することができる。